(57)【要約】【課題】土留め壁の柱材としてのＨ形鋼のエッジ部にくさび板を利用して簡単に取り付けることができるセパレーター連結金具を提案する。【解決手段】棒状本体１の一端側に側面形状Ｌ形のフック部２が設けられ、このフック部２の基柱部１５にはくさび打ち込み孔２１が設けられ、棒状本体１の他端側にはセパレーター連結部３が設けられ、くさび打ち込み孔２１に打ち込まれるくさび板４とフック部２の先端受け部１６との間で板材２３を挟み付けて固定するセパレーター連結金具であって、フック部２は、その基柱部１５の遊端部において前記棒状本体１の一端部に取り付けられ、このフック部２の先端受け部１６に対向する棒状本体１の一端に、くさび打ち込み孔２１の外端２１ａと共にくさび板４の外側辺４ａを受け止めるくさび板受け部２２が形成された構成。【選択図】図１
2006249851.tif 000002
【特許請求の範囲】
【請求項１】
棒状本体の一端側に、前記棒状本体の延長方向に延出する基柱部と当該基柱部から直角横向きに延出する先端受け部とから成る側面形状Ｌ形のフック部が設けられ、このフック部の前記基柱部にはくさび打ち込み孔が設けられ、棒状本体の他端側にはセパレーター連結部が設けられ、前記くさび打ち込み孔に打ち込まれるくさび板と前記フック部の先端受け部との間で板材を挟み付けて固定するセパレーター連結金具であって、前記フック部は、その基柱部の遊端部において前記棒状本体の一端部に取り付けられ、このフック部の先端受け部に対向する前記棒状本体の一端に、前記くさび打ち込み孔の外端と共にくさび板の外側辺を受け止めるくさび板受け部が形成された、セパレーター連結金具。
【請求項２】
前記棒状本体は、帯状板を折り返して構成されたもので、その折り返し端部に設けられた雌ネジ孔によりセパレーター連結部が構成されると共に当該帯状板の両遊端部で棒状本体長さ方向の筒状端部が形成され、前記フック部の基柱部の端部には前記棒状本体の筒状端部に外嵌する溝形部が設けられ、この溝形部と前記棒状本体の筒状端部とがこれら両者を貫通する連結ピンで結合され、前記棒状本体の筒状端部に、前記くさび打ち込み孔の外端と共にくさび板の外側辺を受け止め且つ当該くさび板の向きを規制するくさび板受け部が形成された、請求項１に記載のセパレーター連結金具。
【請求項３】
前記棒状本体の筒状端部を構成する帯状板の両遊端部は、くさび板打ち込み方向に互いに対面し、前記くさび板受け部は、前記くさび打ち込み孔から遠い側に位置する帯状板の遊端部で構成され、前記くさび打ち込み孔に近い側に位置する帯状板の遊端部は、くさび板と干渉しないように短くなっている、請求項２に記載のセパレーター連結金具。
【請求項４】
前記棒状本体の筒状端部は、前記帯状板の両遊端部に形成されたコ字形部をくさび板打ち込み方向に互いに重ねて形成されたもので、各コ字形部の左右両側壁部の一方は凸形に形成されると共に他方は凹形に形成され、両コ字形部が、凸形側壁部と凹形側壁部とが互いに嵌合するように重ねられ、両コ字形部の互いに並列する凸形側壁部を前記連結ピンが貫通するように構成されている、請求項１〜３の何れか１項に記載のセパレーター連結金具。
【発明の詳細な説明】
【技術分野】
【０００１】
本発明は、土留め壁の内側にコンクリート型枠を支持させるときに使用されるセパレーター連結金具に関するものである。
【背景技術】
【０００２】
土留め壁は、適当間隔おきに打設されたＨ形鋼間に矢板を配置して構成されるが、この土留め壁の内側にコンクリート壁を築造する場合、コンクリート型枠をセパレーターによって前記土留め壁に支持させる必要がある。この場合にセパレーターの一端を前記土留め壁に連結し、当該セパレーターの他端にコンクリート型枠を結合するのであるが、セパレーターの一端を前記土留め壁に連結するために使用されるセパレーター連結金具として、例えば特許文献１に記載のように、くさび板を使用して土留め壁に取り付けることができる連結金具は考えられていた。
【特許文献１】登録意匠第１１９６６９５号公報
【発明の開示】
【発明が解決しようとする課題】
【０００３】
しかしながら、特許文献１に記載された従来のくさび板利用のセパレーター連結金具では、土留め壁を構成する矢板に貫通孔を設ける必要があり、木製矢板の場合は比較的簡単に利用できるが、鋼矢板の場合には連結金具の比較的太い棒状本体を貫通させることができる貫通孔を設けることは容易でなかった。また、矢板から土留め壁の裏側に棒状本体を挿入した後、当該棒状本体の先端に軸支されている抜け止め片を回転させ、当該抜け止め片が矢板の裏側に引っ掛かって棒状本体が抜け止めされる状態にしなければならず、特に土留め壁の裏側に土砂が埋め戻されている場合、その作業を速やかに且つ確実に行うことも容易でなかった。
【課題を解決するための手段】
【０００４】
本発明は上記のような従来の問題点を解消し得るセパレーター連結金具を提供することを目的とするものであって、その手段を後述する実施形態の参照符号を付して示すと、棒状本体１の一端側に、前記棒状本体１の延長方向に延出する基柱部１５と当該基柱部１５から直角横向きに延出する先端受け部１６とから成る側面形状Ｌ形のフック部２が設けられ、このフック部２の前記基柱部１５にはくさび打ち込み孔２１が設けられ、棒状本体１の他端側にはセパレーター連結部３が設けられ、前記くさび打ち込み孔２１に打ち込まれるくさび板４と前記フック部２の先端受け部１６との間で板材２３を挟み付けて固定するセパレーター連結金具であって、前記フック部２は、その基柱部１５の遊端部において前記棒状本体１の一端部に取り付けられ、このフック部２の先端受け部１６に対向する前記棒状本体１の一端に、前記くさび打ち込み孔２１の外端２１ａと共にくさび板４の外側辺４ａを受け止めるくさび板受け部２２が形成された構成となっている。
【０００５】
上記構成の本発明を実施するについて、具体的には請求項２に記載のように、前記棒状本体１は帯状板を折り返して構成し、その折り返し端部１ａに設けられた雌ネジ孔５ａによりセパレーター連結部３を構成すると共に当該帯状板の両遊端部で棒状本体長さ方向の筒状端部１３を形成し、前記フック部２の基柱部１５の端部には前記棒状本体１の筒状端部１３に外嵌する溝形部１８を設け、この溝形部１８と前記棒状本体１の筒状端部１３とをこれら両者を貫通する連結ピン２０で結合し、前記棒状本体１の筒状端部１３に、前記くさび打ち込み孔２１の外端２１ａと共にくさび板４の外側辺４ａを受け止めるくさび板受け部２２を形成することができる。
【０００６】
また、請求項３に記載のように、前記棒状本体１の筒状端部１３を構成する帯状板の両遊端部（板部１ｂ，１ｃ）はくさび板打ち込み方向に互いに対面させ、前記くさび板受け部２２は、前記くさび打ち込み孔２１から遠い側に位置する帯状板の遊端部（板部１ｃ）で構成し、前記くさび打ち込み孔２１に近い側に位置する帯状板の遊端部（１ｂ）はくさび板４と干渉しないように短くしておくことができる。
【０００７】
更に、請求項４に記載のように、前記棒状本体１の筒状端部１３は、前記帯状板の両遊端部（板部１ｂ，１ｃ）に形成されたコ字形部をくさび板打ち込み方向に互いに重ねて形成し、この場合に、各コ字形部の左右両側壁部１１ａ，１１ｂ及び１２ａ，１２ｂの一方は凸形に形成すると共に他方は凹形に形成し、両コ字形部を、凸形側壁部１１ａ，１２ｂと凹形側壁部１１ｂ，１２ａとが互いに嵌合するように重ね合わせ、両コ字形部の互いに並列する凸形側壁部１１ａ，１２ｂを前記連結ピン２０が貫通するように構成することができる。
【発明の効果】
【０００８】
上記構成の本発明に係るセパレーター連結金具によれば、土留め壁の柱材として使用されているＨ形鋼のエッジ部の裏側に棒状本体先端のフック部の先端受け部を横から差し込み、当該フック部の基柱部に設けられているくさび打ち込み孔に横向きにくさび板を打ち込むだけで、簡単容易に連結金具を土留め壁に取り付けることができる。従って、従来のように矢板に貫通孔を明ける準備作業が不要になり、鋼矢板を利用した土留め壁であっても簡単容易且つ迅速にセパレーターを連結することができるに至ったのである。
【０００９】
尚、請求項２〜４に記載の構成によれば、本発明を簡単な構成で安価に実施することができる。
【発明を実施するための最良の形態】
【００１０】
以下に本発明の具体的実施例を添付図に基づいて説明すると、１は棒状本体、２は棒状本体１の一端に連設されたフック部、３は棒状本体１の他端に形成されたセパレーター連結部、４はくさび板である。
【００１１】
棒状本体１は、図１〜図５に示すように、帯状板をＵ字形に折曲したもので、前記セパレーター連結部３は、帯状板折り返し端部１ａの内側にナット５を、その雌ネジ孔５ａの軸心が棒状本体１の長さ方向中心線と同心状に位置するように固定すると共に、当該雌ネジ孔５ａと同心状の貫通孔６を帯状板折り返し端部１ａに設け、更に貫通孔６を形成する切り起こし舌片７を、貫通孔６の軸心側に突出するようにＬ形に折曲すると共に、このＬ形切り起こし舌片７の折曲位置から基部側に、当該Ｌ形切り起こし舌片７の折曲位置を巾広基部とする台形状の切り起こし舌片８を形成して構成したものである。この実施形態におけるナット５の固定方法としては、帯状板折り返し端部１ａから内側へ突出させた一対の突起部９でナット５を回り止め状態に挟持すると共に、帯状板並列板部１ｂ，１ｃから内側に突出させた一対の突起部１０でナット５を帯状板折り返し端部１ａとの間で挟持固定させる方法が採用されているが、単にナット５を溶接する方法など、如何なる方法であっても良い。勿論、セパレーター連結部３の構成もこの実施形態に示すものに限定されない。例えば、帯状板折り返し端部１ａに直接貫通雌ネジ孔を設けて構成することもできる。
【００１２】
棒状本体１を構成する帯状板並列板部１ｂ，１ｃの遊端部は、図５に示すように、それぞれを溝部が互いに対向する断面コ字形に形成し、各コ字形部の互いに反対側に位置する一方の側壁部１１ｂ，１２ａは凹形に形成すると共に他方の側壁部１１ａ，１２ｂは相手側の凹形側壁部１１ｂ，１２ａに嵌合する凸形に形成して、セパレーター連結部３のある側とは反対側の棒状本体１の端部を角筒形とし、この角筒形端部１３において、帯状板並列板部１ｂ，１ｃの対面方向とは直交する向きで互いに対面する凸形側壁部１１ａ，１２ｂに同心状の貫通孔１４を設けている。
【００１３】
フック部２は、図５に示すように、棒状本体１とは別のフック部構成部材によって構成されている。このフック部構成部材は、基柱部１５とその先端から直角横向きに延出する先端受け部１６とを有する側面形状Ｌ形のもので、基柱部１５から先端受け部１６の先端付近までＬ形に連続し且つ外側に突曲する補強用リブ１７が形成され、基柱部１５の遊端部は、補強用リブ１７から左右両側に延出する翼板部を持たない溝形部１８とされ、この溝形部１８を棒状本体１の角筒形端部１３に横から外嵌させたとき、当該角筒形端部１３に設けられている貫通孔１４と合致する貫通孔１９が溝形部１８の両側壁に設けられ、これら貫通孔１４，１９に結合用ピン（リベットを使用しているがボルトナットなどでも良い）２０を挿通し、棒状本体１とフック部（フック部構成部材）２とを結合して一体化している。
【００１４】
くさび板４は、フック部２の基柱部１５における補強用リブ１７に設けられたくさび打ち込み孔２１から当該フック部２の先端受け部１６の延出方向に打ち込まれるもので、その先端受け部１６のある側とは反対側の外側辺４ａが棒状本体１の角筒状端部１３に設けられたくさび板受け部２２で受け止められる。くさび板受け部２２は、棒状本体１の角筒状端部１３を構成する帯状板並列板部１ｂ，１ｃの遊端部の内、くさび打ち込み孔２１から遠い側の板部１ｃの遊端部で形成されたコ字形部で構成され、他方の板部１ｂの遊端部で形成されたコ字形部は、くさび板４と干渉しないように短くなっている。更に具体的に説明すると、くさび板受け部２２は、板部１ｃの端縁２２ａと当該板部１ｃの遊端部で形成されたコ字形部における両側壁部１２ａ，１２ｂとで構成されたもので、くさび打ち込み孔２１から打ち込まれたくさび板４の外側辺４ａをくさび打ち込み孔２１の外端２１ａと板部１ｃの端縁２２ａとで受け止めたとき、当該くさび板４の内側辺４ｂがフック部２の先端受け部１６と平行になるように構成され、このとき、板部１ｃの遊端部で形成されたコ字形部における両側壁部１２ａ，１２ｂ間にくさび板４の外側辺４ａが嵌まり込んで、当該くさび板４の向きを規制するように構成されている。
【００１５】
以上のように構成された連結金具の使用方法を説明すると、図１に示すように、土留め壁を構成する柱材としてのＨ形鋼のエッジ部（以下、板材という）２３の裏側にフック部２の先端受け部１６を横から水平に差し込み、当該板材２３をフック部２の先端受け部１６の内側に相対的に嵌入させる。
【００１６】
次にくさび板４をその尖端側からフック部２のくさび打ち込み孔２１に当該フック部２の先端受け部１６の延出方向に挿入し、このくさび板４の外側辺４ａをくさび打ち込み孔２１の外端２１ａと棒状本体１のくさび板受け部２２における板部１ｃの端縁２２ａとで受け止めて、当該くさび板４の内側辺４ｂがフック部２における先端受け部１６と平行になる姿勢を保たせながらくさび板４を打ち込んで、このくさび板４の内側辺４ｂとフック部２の先端受け部１６との間で板材２３を挟み付け、当該板材２３に連結金具を取り付ける。このときくさび板４の外側辺４ａは、くさび板受け部２２の構成する板部１ｃの両側壁部１２ａ，１２ｂ間に嵌合することになり、打ち込まれる途中でくさび板４がくさび板受け部２２における板部１ｃの端縁２２ａから横に外れる恐れはない。
【００１７】
上記のように板材２３に連結金具を取り付けたならば、棒状本体１のセパレーター連結部３における雌ネジ孔５ａにセパレーター２４の一端螺軸部２４ａを所定深さ螺合させ、棒状本体１の延長方向にセパレーター２４を連結する。この後、Ｌ形切り起こし舌片７の先端を棒状本体１の長さ方向に沿ってフック部２のある側へハンマーなどで打ち叩いて中間折曲部で更に折曲させ、切り起こし舌片８の先端をセパレーター２４の螺軸部２４ａにおけるネジ溝内に食い込ませ、セパレーター２４を棒状本体１に対して固定させる。これで板材２３に対してセパレーター２４が取り付けられたことになるので、この後は、従来通りセパレーター２４の他端螺軸部にコンクリート型枠が結合される。
【００１８】
尚、帯状板の並列板部１ｂ，１ｃの内、くさび打ち込み孔２１に近い側の板部１ｂの遊端部で構成されるコ字形部を短くしたが、くさび板受け部２２を構成する側の板部１ｃの遊端部で構成されるコ字形部と同一長さとし、当該コ字形部の板部１ｂの端縁からくさび板４の外側辺４ａが遊嵌する切欠き凹部を形成しても良い。この場合は、板部１ｂで構成されるコ字形部の両側壁部１１ａ，１１ｂ間にもくさび板４の外側辺４ａが遊嵌するので、当該板部１ｂで構成されるコ字形部の両側壁部１１ａ，１１ｂもくさび板４の向きを規制するのに役立たせることができる。
【００１９】
また、棒状本体１を構成する帯状板として巾広のものを使用できるならば、一方の板部１ｂ（または１ｃ）の遊端部で構成されるコ字形部の両側壁部１１ａ，１１ｂ間（または１２ａ，１２ｂ間）に他方の板部１ｃ（または１ｂ）の遊端部で構成されるコ字形部の全体を内嵌させ、各コ字形部の両側壁部１１ａ，１１ｂと１２ａ，１２ｂとが内外で重なるように構成することもできる。
【００２０】
更に、上記実施形態では、棒状本体１を構成する帯状板の並列板部１ｂ，１ｃの対面方向が、くさび板の打ち込み方向（フック部２における先端受け部１６の延出方向）と同一方向となるように構成したが、場合によっては、並列板部１ｂ，１ｃの対面方向が、くさび板の打ち込み方向に対して直交する向きとなるように構成しても良い。
【図面の簡単な説明】
【００２１】
【図１】Ａ図は使用状態を示す横断平面図、Ｂ図はくさび板位置での縦断正面図、Ｃ図はフック部と棒状本体との結合位置での縦断正面図である。
【図２】連結金具の平面図である。
【図３】連結金具の側面図である。
【図４】Ａ図は連結金具の分解一部縦断側面図、Ｂ図は同分解一部横断平面図である。
【図５】Ａ図は棒状本体の分解一部横断平面図、Ｂ図はＡ図のＡ−Ａ線断面図、Ｃ図はＡ図のＢ−Ｂ線断面図である。
【図６】フック部の底面図である。
【符号の説明】
【００２２】
１    棒状本体
２    フック部
３    セパレーター連結部
４    くさび板
４ａ    くさび板の外側辺
４ｂ    くさび板の内側辺
５    ナット
１３    角筒形端部
１４    貫通孔
１５    基柱部
１６    先端受け部
１８    溝形部
２０    結合用ピン
２１    くさび打ち込み孔
２１ａ    くさび打ち込み孔の外端
２２    くさび板受け部
２２ａ    くさび板受け部の板部端縁
２３    板材（Ｈ形鋼のエッジ部）
２４    セパレーター
【図１】
2006249851.tif 000003
【図２】
2006249851.tif 000004
【図３】
2006249851.tif 000005
【図４】
2006249851.tif 000006
【図５】
2006249851.tif 000007
【図６】
2006249851.tif 000008